(57)【要約】【課題】フットカバーがパンプス内で足の踵側から容易に脱げないようにして、着用者がフットカバーを着用した状態でパンプスを心地よく履き続けることができるようにする。【解決手段】フットカバー１は、着用者の足の足裏面を載せる足底部２と足の爪先側甲部ないし踵部を覆う被覆部３とを備えており、被覆部３の上端部に足を出し入れする履き口部７が設けられたパンプス用のフットカバーである。そして、足底部２および被覆部３は、予め、足の踵部が爪先部よりも高くなるように足の基節骨ＰＰと中足骨ＭＴとの間の中足趾節関節ＭＰで屈曲したときの足の形状に沿って湾曲形成されている。【選択図】図２
2018100463.tif 000002
【特許請求の範囲】
【請求項１】
着用者の足の足裏面を載せる足底部と足の爪先側甲部ないし踵部を覆う被覆部とを備え、該被覆部の上端部に足を出し入れする履き口部が設けられたパンプス用のフットカバーであって、
前記足底部および前記被覆部は、予め、足の踵部が爪先部よりも高くなるように足の基節骨と中足骨との間の中足趾節関節で屈曲したときの足の形状に沿って湾曲形成されている、フットカバー。
【請求項２】
着用者の足の足裏面を載せる足底部と足の爪先側甲部ないし踵部を覆う被覆部とを備え、該被覆部の上端部に足を出し入れする履き口部が設けられたパンプス用のフットカバーであって、
爪先領域と、該爪先領域の後側に連続する屈曲領域と、該屈曲領域の後側に連続する後部領域とを有し、
前記爪先領域では、該爪先領域の足底部が水平方向に延びかつ該爪先領域の被覆部が足の末節骨から基節骨までの爪先側の甲部ないし両側部を覆うように形成され、
前記屈曲領域では、該屈曲領域の足底部が足の基節骨と中足骨との間の中足趾節関節で屈曲したときの湾曲形状に沿うように形成されかつ該屈曲領域の被覆部が中足趾節関節を含む範囲の両側部を覆うように形成され、
前記後部領域では、該後部領域の足底部が前記屈曲領域から後方に向かって上方に向かうように傾斜しかつ該後部領域の被覆部が足の中足骨から踵骨までの両側部ないし後側部を覆うように形成されている、フットカバー。
【請求項３】
請求項２に記載のフットカバーにおいて、
前記被覆部は、前記爪先領域から前記屈曲領域を経て前記後部領域の前部に亘る部分に位置する前側被覆部と、該後部領域の踵側に位置する後側被覆部と、を有し、
前記前側および後側被覆部の各々は、前記足底部との接合前の展開状態で略Ｕ字形の帯状に形成されていて、外周縁が該足底部の外周縁に接合されるように構成されている、フットカバー。
【請求項４】
請求項３に記載のフットカバーにおいて、
前記展開状態の前側被覆部は、前記爪先領域で外甲側および内甲側の各外周縁が足の爪先側から中足趾節関節に向かって互いに離れるように略弧状に拡がり、前記屈曲領域で該外周縁間の足幅方向の幅が最大となり、該屈曲領域から前記後部領域の前部に亘って該各外周縁が該最大の幅に対応する位置から後方に向かって足幅方向中央に向かうように傾斜している、フットカバー。
【請求項５】
請求項３に記載のフットカバーにおいて、
前記展開状態の前側被覆部は、前記爪先領域で外甲側および内甲側の各外周縁が足の爪先側から中足趾節関節に向かって互いに離れるように略弧状に拡がり、前記屈曲領域で該外周縁間の足幅方向の幅が最大となり、該屈曲領域から前記後部領域の前部に亘って該各外周縁が該最大の幅に対応する位置から後方に向かって足幅方向中央位置を通る前後方向と平行な方向に延びている、フットカバー。
【請求項６】
請求項２または３に記載のフットカバーにおいて、
前記爪先領域の前記足底部と、前記後部領域の該足底部とのなす角度θ１がθ１＝２５°〜６０°である、フットカバー。
【請求項７】
請求項２または３に記載のフットカバーにおいて、
前記後部領域の被覆部を、前記足底部の足幅方向中央位置を通る前後方向の鉛直面に沿って切断線で切断したときに、該切断線と展開状態における該被覆部の後端縁とのなす角度θ３がθ３＝１３５°〜１７０°である、フットカバー。
【請求項８】
請求項２〜７のいずれか１項に記載のフットカバーにおいて、
前記爪先領域における前記被覆部の内面には、足の爪先側甲部に対する該被覆部のずれを防止するための爪先側防滑部が設けられている、フットカバー。
【請求項９】
請求項２〜８のいずれか１項に記載のフットカバーにおいて、
前記後部領域において、足の踵部の両側部ないし後側部に位置する前記被覆部の内面には、足の踵部に対する該被覆部のずれを防止するための踵側防滑部が設けられている、フットカバー。
【請求項１０】
請求項９に記載のフットカバーにおいて、
前記踵側防滑部は、フットカバーの側面視で足の踵骨における後端部の上下方向中央位置を上下に跨ぐように配置されている、フットカバー。
【発明の詳細な説明】
【技術分野】
【０００１】
本発明は、パンプス用のフットカバーに関するものである。
【背景技術】
【０００２】
従来、足の爪先側よりも踵側が高くなるように形成された婦人用のパンプスに用いられるフットカバーとして、例えば特許文献１のようなフットカバーが提案されている。
【０００３】
特許文献１には、足の足裏面を載せる足底部と足の爪先側甲部ないし踵部を覆う側辺部、踵部および爪先部からなる被覆部とにより伸縮可能に構成され、該被覆部の上端部に足を出し入れする履き口部が設けられたフットカバーが開示されている。
【先行技術文献】
【特許文献】
【０００４】
【特許文献１】特開２０１４−４７４３３号公報
【発明の概要】
【発明が解決しようとする課題】
【０００５】
特許文献１のフットカバーでは、足底部および被覆部を、爪先側から踵側に亘って足裏面全体が水平面に接地した状態における足の形状に合うようになっている。すなわち、特許文献１のフットカバーにおいて、足底部および被覆部は、フットカバーを着用した者（以下「着用者」という）がパンプスを履いていない状態における足の形状に適合するように構成されている。このため、特許文献１のフットカバーを着用した者が足の爪先側よりも踵側が高くなるように形成された婦人用のパンプスを履いたときに、フットカバーの履き口部を形成する被覆部の上端部に余分なしわが発生しやすくなっていた。その結果、特許文献１のフットカバーでは、フットカバーがパンプス内で足の踵側から容易に脱げやすくなってしまい、着用者がフットカバーを着用した状態でパンプスを心地よく履き続けることができないという問題があった。
【０００６】
本発明は斯かる点に鑑みてなされたものであり、その目的は、フットカバーがパンプス内で足の踵側から容易に脱げないようにして、着用者がフットカバーを着用した状態でパンプスを心地よく履き続けることができるようにすることにある。
【課題を解決するための手段】
【０００７】
上記の目的を達成するために、本発明に係るパンプス用のフットカバーでは、足底部および被腹部の形状に工夫を加えることにより、フットカバーがパンプス内で足の踵側から容易に脱げないようにした。
【０００８】
具体的に、本発明の第１の形態はパンプス用のフットカバーに係るものであり、このフットカバーは、着用者の足の足裏面を載せる足底部と足の爪先側甲部ないし踵部を覆う被覆部とを備え、被覆部の上端部に足を出し入れする履き口部が設けられている。そして、足底部および被覆部は、予め、足の踵部が爪先部よりも高くなるように足の基節骨と中足骨との間の中足趾節関節で屈曲したときの足の形状に沿って湾曲形成されていることを特徴とする。
【０００９】
第１の形態では、足底部および被覆部は、予め、足の踵部が爪先部よりも高くなるように足の基節骨と中足骨との間の中足趾節関節で屈曲したときの足の形状に沿って湾曲形成されている。すなわち、フットカバーは、足底部および被覆部が足の中足趾節関節の位置を基準にしてパンプスを履いた着用者の足の形状に適合するように構成されている。また、フットカバーがパンプスを履いた着用者の足の形状に適合することにより、フットカバーの履き口部を形成する被覆部の上端部において余分なしわの発生が抑制されるようになる。その結果、第１の形態では、フットカバーがパンプス内で足の踵側から容易に脱げないようになり、着用者がフットカバーを着用した状態でパンプスを心地よく履き続けることができる。
【００１０】
本発明の第２の形態はパンプス用のフットカバーに係るものであり、このフットカバーは、着用者の足の足裏面を載せる足底部と足の爪先側甲部ないし踵部を覆う被覆部とを備え、該被覆部の上端部に足を出し入れする履き口部が設けられている。このフットカバーは、爪先領域と、該爪先領域の後側に連続する屈曲領域と、該屈曲領域の後側に連続する後部領域とを有している。爪先領域では、該爪先領域の足底部が水平方向に延びかつ該爪先領域の被覆部が足の末節骨から基節骨までの爪先側の甲部ないし両側部を覆うように形成されている。また、屈曲領域では、該屈曲領域の足底部が足の基節骨と中足骨との間の中足趾節関節で屈曲したときの湾曲形状に沿うように形成されかつ該屈曲領域の被覆部が中足趾節関節を含む範囲の両側部を覆うように形成されている。さらに、後部領域では、該後部領域の足底部が屈曲領域から後方に向かって上方に向かうように傾斜しかつ該後部領域の被覆部が足の中足骨から踵骨までの両側部ないし後側部を覆うように形成されていることを特徴とする。
【００１１】
第２の形態では、爪先領域と、爪先領域の後側に連続する屈曲領域と、屈曲領域の後側に連続する後部領域とを有しており、特に屈曲領域では、足底部が中足趾節関節で屈曲したときの湾曲形状に沿うように形成されかつ被覆部が中足趾節関節を含む範囲の両側部を覆うように形成されている。すなわち、フットカバーを構成する足底部および被覆部は、屈曲領域を中核として爪先領域から後部領域に亘りパンプスを履いた着用者の足の形状に適合するように構成されている。また、フットカバーがパンプスを履いた着用者の足の形状に適合することにより、フットカバーの履き口部を形成する被覆部の上端部において余分なしわの発生が抑制されるようになる。その結果、第２の形態では、第１の形態と同様に、フットカバーがパンプス内で足の踵側から容易に脱げないようになり、着用者がフットカバーを着用した状態でパンプスを心地よく履き続けることができる。
【００１２】
第３の形態は、第２の形態において、被覆部は、爪先領域から屈曲領域を経て後部領域の前部に亘る部分に位置する前側被覆部と、該後部領域の踵側に位置する後側被覆部と、を有している。そして、前側および後側被覆部の各々は、足底部との接合前の展開状態で略Ｕ字形の帯状に形成されていて、外周縁が該足底部の外周縁に接合されるように構成されていることを特徴とする。
【００１３】
第３の形態では、前側および後側被覆部により、必要最低限の部材のみで足裏面および爪先側甲部ないし踵部を覆うフットカバーを立体的に構成することができ、かつ被覆部における継ぎ目の数を少なくすることができる。
【００１４】
第４の形態は、第３の形態において、展開状態の前側被覆部は、爪先領域で外甲側および内甲側の各外周縁が足の爪先側から中足趾節関節に向かって互いに離れるように略弧状に拡がり、屈曲領域で該外周縁間の足幅方向の幅が最大となり、該屈曲領域から後部領域の前部に亘って該各外周縁が該最大の幅に対応する位置から後方に向かって足幅方向中央に向かうように傾斜していることを特徴とする。
【００１５】
第４の形態では、屈曲領域から後部領域の前部に亘って各外周縁が最大の幅に対応する位置から後方に向かって足幅方向中央に向かうように傾斜している。すなわち、展開状態の前側被覆部は、全体を吊り下げたときの外周縁が最大幅に対応する位置から足の踵部に向かって上方に傾斜するように構成されている。このため、上記のように傾斜した前側被覆部の外周縁に足底部の外周縁が接合されたフットカバーを型崩れのない状態で起立させたとき、前側被覆部の外周縁と足底部の外周縁との継ぎ目部分が屈曲領域から後部領域の前部に亘って上方に向かって傾斜するようになる。その結果、前側被覆部の外周縁に接合される足底部を、屈曲領域から後部領域に亘り着用者がパンプスを履いた状態の足の形状に沿わせやすくすることができる。
【００１６】
第５の形態は、第３の形態において、展開状態の前側被覆部は、爪先領域で外甲側および内甲側の各外周縁が足の爪先側から中足趾節関節に向かって互いに離れるように略弧状に拡がり、屈曲領域で該外周縁間の足幅方向の幅が最大となり、該屈曲領域から後部領域の前部に亘って該各外周縁が該最大の幅に対応する位置から後方に向かって足幅方向中央位置を通る前後方向と平行な方向に延びていることを特徴とする。
【００１７】
この第５の形態では、前側被覆部の外周縁に足底部の外周縁が接合されたフットカバーを型崩れのない状態で起立させたとき、上記第４の形態と比較して、前側被覆部の外周縁と足底部の外周縁との継ぎ目部分が屈曲領域から後部領域の前部に亘って上方に向かって緩やかに傾斜するようになる。このため、フットカバーを、足の爪先側よりも踵側の高さが比較的低いパンプスを履いた着用者の足の形状に対して適合させることが可能となる。
【００１８】
第６の形態は、第２または第３の形態において、爪先領域の足底部と、後部領域の足底部とのなす角度θ１がθ１＝２５°〜６０°であることを特徴とする。
【００１９】
この第６の形態では、角度θ１がθ１＝２５°〜６０°であれば、フットカバーを、足の爪先側よりも踵側が高くなるように形成されたパンプスを履いた着用者の足の形状に対して十分に適合させることができる。
【００２０】
第７の形態は、第２または第３の形態において、後部領域の被覆部を、足底部の足幅方向中央位置を通る前後方向の鉛直面に沿って切断線で切断したときに、該切断線と展開状態における該被覆部の後端縁とのなす角度θ３がθ３＝１３５°〜１７０°であることを特徴とする。
【００２１】
この第７の形態では、角度θ３がθ３＝１３５°〜１７０°であれば、第６の形態と同様に、フットカバーを、足の爪先側よりも踵側が高くなるように形成されたパンプスを履いた着用者の足の形状に対して十分に適合させることができる。
【００２２】
第８の形態は、第２〜第７の形態のいずれか１つの形態において、爪先領域における被覆部の内面には、足の爪先側甲部に対する該被覆部のずれを防止するための爪先側防滑部が設けられていることを特徴とする。
【００２３】
この第８の形態では、爪先側防滑部によって、着用者の足の爪先側甲部と被覆部とのずれが生じにくくなり、着用者がフットカバーを着用した状態でパンプスをより一層心地よく履き続けることができる。
【００２４】
第９の形態は、第２〜第８の形態のいずれか１つの形態において、後部領域において、足の踵部の両側部ないし後側部に位置する被覆部の内面には、足の踵部に対する該被覆部のずれを防止するための踵側防滑部が設けられていることを特徴とする。
【００２５】
この第９の形態では、踵側防滑部によって、着用者の足における踵部の両側部ないし後側部と被覆部とのずれが生じにくくなり、着用者がフットカバーを着用した状態でパンプスをより一層心地よく履き続けることができる。
【００２６】
第１０の形態は、第９の形態において、踵側防滑部は、フットカバーの側面視で足の踵骨における後端部の上下方向中央位置を上下に跨ぐように配置されていることを特徴とする。
【００２７】
この第１０の形態では、踵側防滑部が足の踵骨における後端部の上下方向中央位置を上下に跨ぐように配置されているため、踵側防滑部により足の踵骨の上下移動が抑制されることになる。その結果、足の踵部の両側部ないし後側部と被覆部とのずれが生じにくくなるという踵側防滑部の上記効果をより一層高めることができる。
【発明の効果】
【００２８】
以上説明したように、本発明によると、フットカバーがパンプス内で足の踵側から容易に脱げないようになり、着用者がフットカバーを着用した状態でパンプスを心地よく履き続けることができる。
【図面の簡単な説明】
【００２９】
【図１】図１は、本発明の実施形態に係るフットカバーの全体斜視図である。
【図２】図２は、フットカバーに人体の足の構造を重ねた状態を足の外甲側から見て示す側面図である。
【図３】図３は、フットカバーに人体の足の構造を重ねた状態を示す平面図である。
【図４】図４は、展開状態の足底部に人体の足の構造を重ねた状態を示す平面図である。
【図５】図５は、展開状態の足底部上に被覆部を重ね合わせた状態の展開図である。
【図６】図６は、フットカバーの変形例を示す図５相当図である。
【図７】図７は、図３に示したフットカバーの被覆部を、仮想線Ｃを通る前後方向の鉛直面に沿って切断したときの仮想的な展開図である。
【発明を実施するための形態】
【００３０】
以下、本発明の実施形態を図面に基づいて詳細に説明する。以下の実施形態の説明は、本質的に例示に過ぎず、本発明、その適用物或いはその用途を制限することを意図するものではない。
【００３１】
図１〜図３は、本発明の実施形態に係るフットカバー１の全体を示しており、このフットカバー１は、主にパンプス（特に足の爪先側よりも踵側が高くなるように形成された婦人用の靴）に適したフットカバーとして使用されるものである。このフットカバー１を着用した着用者がパンプスを履いたときに、フットカバー１はパンプス内に隠れて外部に露出しないようになっている。
【００３２】
ここで、フットカバー１は、人体の左足Ｌに着用させたときのフットカバー１（左足用フットカバー）のみを例示している。右足用フットカバーは、左足用フットカバーのものと左右対称になるように構成されているので、以下の説明では左足用フットカバーのみについて説明し、右足用フットカバーの説明は省略する。
【００３３】
また、以下の説明において、上方（上側）および下方（下側）とはフットカバー１の上下方向の位置関係を表し、前方（前側）および後方（後側）とはフットカバー１の前後方向の位置関係を表し、内甲側および外甲側とはフットカバー１の足幅方向の位置関係を表すものとする。
【００３４】
図１〜図３に示すように、フットカバー１は、着用者の足の足裏面と爪先側甲部ないし踵部とを覆うように構成されている。具体的に、フットカバー１は、着用者の足の足裏面を載せる足底部２と、足の爪先側甲部ないし踵部を覆う被覆部３とを備えている。これら足底部２および被覆部３は、それぞれ、伸縮可能な生地からなり、生地が伸張した状態で着用される。被覆部３の上端部には、足を出し入れするための履き口部７が設けられている。履き口部７は、足の爪先側甲部ないし踵部に対し隙間がない状態でフィットするように形成されている。
【００３５】
足底部２および被覆部３は、予め、足の踵部が爪先部よりも高くなるように足の基節骨ＰＰと中足骨ＭＴとの間の中足趾節関節ＭＰ（いわゆるＭＰ関節）で屈曲したときの足の形状に沿って湾曲形成されている。すなわち、フットカバー１は、足底部２および被覆部３が足の中足趾節関節ＭＰの位置を基準にしてパンプスを履いた着用者の足の形状に適合するように構成されている。具体的に、フットカバー１は、足の爪先側甲部の位置に対応する爪先領域Ｘと、爪先領域Ｘの後側に連続しかつ足の中足趾節関節ＭＰの位置に対応する屈曲領域Ｙと、屈曲領域Ｙの後側に連続する後部領域Ｚとを有している。
【００３６】
また、被覆部３は、爪先領域Ｘから屈曲領域Ｙを経て後部領域Ｚの前部に亘る部分に位置する前側被覆部４と、後部領域Ｚの踵側に位置する後側被覆部５と、を有している。ここで、符号６（図１〜３参照）は、図５に示す前側被覆部４の各後端部４ｃと後側被覆部５の各前端部５ｂとが縫合（接合）された継ぎ部である。
【００３７】
図２および図３に示すように、爪先領域Ｘでは、足底部２が水平方向に延びている一方、被覆部３が足の末節骨ＤＰから基節骨ＰＰまでの爪先側の甲部ないし両側部を覆うように形成されている。屈曲領域Ｙでは、足底部２が足の中足趾節関節ＭＰで屈曲したときの湾曲形状に沿うように形成されている一方、被覆部３が中足趾節関節ＭＰを含む範囲の両側部を覆うように形成されている。後部領域Ｚでは、足底部２が屈曲領域Ｙから後方に向かって上方に向かうように傾斜している一方、被覆部３が足の中足骨ＭＴから踵骨ＨＬまでの両側部ないし後側部を覆うように形成されている。
【００３８】
ここで、図２に示すように、本実施形態では、爪先領域Ｘの足底部２と後部領域Ｚの足底部２とのなす角度θ１が約４５°になるように設定されている。そして、角度θ１がθ１＝４５°であるとき、フットカバー１は、その後端部に対応する位置（図２に示すｈの位置）が水平面（図２に示す仮想線Ｆ）からおよそ９ｃｍの高さになるように構成されている。なお、角度θ１は特にこの角度に限定されず、角度θ１を所定の角度範囲で設定することが可能である。角度θ１における適正な角度範囲については後述する。
【００３９】
また、図１〜図３に示すように、爪先領域Ｘにおいて、被覆部３の内面には、足の爪先側甲部に対する被覆部３のずれを防止するための左右一対の爪先側防滑部１１，１１が設けられている。具体的に、各爪先側防滑部１１は、前側被覆部４の内面に塗布されたシリコン材からなり、略円形状に形成されている。爪先側防滑部１１，１１の各々は、例えば足の第２基節骨ＰＰ２および第４中節骨ＩＰ４のそれぞれに当接するように配置されている（図３参照）。
【００４０】
さらに、後部領域Ｚにおいて、足の踵部の両側部ないし後側部に位置する被覆部３の内面には、足の踵部に対する被覆部３のずれを防止するための上下一対の踵側防滑部１２，１２が設けられている。具体的に、各踵側防滑部１２は、後側被覆部５の内面に塗布されたシリコン材からなり、足の踵部の両側部ないし後側部を覆うように略長方形の帯状に形成されている。踵側防滑部１２，１２は、例えば足の踵骨ＨＬにおける後端部の上下方向中央位置（踵骨ＨＬ後側の尖った部分の位置）を上下に跨ぐように配置されている（図２参照）。
【００４１】
次に、フットカバー１を展開した状態の具体的構成を説明する。
【００４２】
図４に示すように、フットカバー１を展開した状態における足底部２の前後方向において、爪先領域Ｘは、足の爪先側に位置する足底部２の前端部２ｂ（足幅方向に延びる仮想線Ｌ１の位置）から第２基節骨ＰＰ２の後端部に対応する位置（足幅方向に延びる仮想線Ｌ２の位置）までの範囲を占めている。屈曲領域Ｙは、上記仮想線Ｌ２の位置から第５中足骨ＭＴ５の前端部に対応する位置（足幅方向に延びる仮想線Ｌ３の位置）までの範囲を占めている。後部領域Ｚは、上記仮想線Ｌ３の位置から足底部２の後端部２ｃ（足幅方向に延びる仮想線Ｌ４の位置）までの範囲を占めている。
【００４３】
また、フットカバー１を展開した状態において、足底部２は、爪先領域Ｘで外甲側および内甲側の各外周縁２ａが仮想線Ｌ１の位置から後方に向かって互いに離れるように略弧状に拡がっている。また、足底部２は、爪先領域Ｘの後部に位置するａ１，ａ２間を結んだ足幅方向に延びる仮想線Ａの位置で外周縁２ａ，２ａ間の足幅方向の幅が最大となっている。そして、仮想線Ａの位置（すなわち爪先領域Ｘの後部）から屈曲領域Ｙを経て後部領域Ｚに亘る領域間では、足底部２の各外周縁２ａが上記仮想線Ａの位置から足の踵部（踵骨ＨＬ）に対応する位置に向かって足幅方向中央（前後方向に延びる仮想線Ｃ）に向かうように傾斜している。なお、本実施形態では、足底部２が仮想線Ｃを対称軸として左右に線対称に形成された形態を例示しているが、足底部２はこの形態に限定されない。
【００４４】
一方、図５に示すように、フットカバー１を展開した状態において、前側および後側被覆部４，５の各々は、足底部２との縫合（接合）前の展開状態で略Ｕ字形の帯状に形成されていて、前側被覆部４の各後端部４ｃと後側被覆部５の各前端部５ｂとが縫合されるようになっている。前側被覆部４は、展開状態において、前端部４ｂを足底部２の前端部２ｂの位置（仮想線Ｌ１の位置）に合わせた状態で各外周縁４ａが足底部２の各外周縁２ａに縫合されるように構成されている。一方、後側被覆部５は、展開状態において、後端部５ｃを足底部２の後端部２ｃの位置（仮想線Ｌ４の位置）に合わせた状態で各外周縁５ａが足底部２の各外周縁２ａに縫合されるように構成されている。
【００４５】
なお、本実施形態では、足底部２と前側および後側被覆部４，５とを縫合することにより接合した形態を例示しているが、接着剤による接着や溶着などの接合方法により、足底部２と前側および後側被覆部４，５とを接合してもよい。また、本実施形態では、足底部２と前側および後側被覆部４，５とを縫合することにより接合した形態を例示しているが、足底部および被覆部を、例えばホールガーメント（登録商標）編み機などを用いた三次元編成により一体的に編成して構成してもよい。
【００４６】
前側被覆部４は、フットカバー１を展開した状態において、外甲側および内甲側の外周縁４ａ，４ａの各々が爪先領域Ｘにおける仮想線Ｌ１の位置から屈曲領域Ｙ（図４に示す足の中足趾節関節ＭＰに対応する位置）に向かって互いに離れるように略弧状に拡がっている。また、屈曲領域Ｙでは、図５に示すｂ１，ｂ２間を結んだ足幅方向に延びる仮想線Ｂの位置（屈曲領域Ｙの後部）で前側被覆部４における外周縁４ａ，４ａ間の足幅方向の幅が最大となっている。さらに、爪先領域Ｘおよび屈曲領域Ｙにおいて、前側被覆部４は、各外周縁４ａが足底部２の各外周縁２ａよりも大きな曲線形状になるように形成されている。すなわち、爪先領域Ｘおよび屈曲領域Ｙにおいて、前側被覆部４は、各外周縁４ａの曲率が足底部２における各外周縁２ａの曲率よりも小さくなるように形成されている。そして、屈曲領域Ｙにおける仮想線Ｂの位置から後部領域Ｚの前部に亘る領域間では、前側被覆部４の各外周縁４ａが上記仮想線Ｂの位置から後方に向かって仮想線Ｃ（足幅方向中央）に向かうように略直線状に傾斜している。
【００４７】
後側被覆部５は、フットカバー１を展開した状態において、後部領域Ｚの踵部に対応する位置で外甲側および内甲側における外周縁５ａ，５ａの各々が仮想線Ｌ４の位置から前方に向かって互いに離れるように略弧状に拡がっている。また、後側被覆部５は、前端部５ｂに対応するｄ１，ｄ２間を結んだ足幅方向に延びる仮想線Ｄの位置で外周縁５ａ，５ａ間の足幅方向の幅が最大となり、かつこの最大幅が仮想線Ｂの位置に対応する前側被覆部４の最大幅よりも大きくなるように形成されている。さらに、後側被覆部５は、各外周縁５ａが足底部２における後部領域Ｚの各外周縁２ａよりも大きな曲線形状になるように形成されている。すなわち、後側被覆部５は、各外周縁５ａの曲率が足底部２における後部領域Ｚの各外周縁２ａの曲率よりも小さくなるように形成されている。
【００４８】
なお、本実施形態では、前側および後側被覆部４，５の各々が仮想線Ｃを対称軸として左右に線対称に形成された形態を例示しているが、足底部２と同様に、前側および後側被覆部４，５の各々はこの形態に限定されない。
【００４９】
［実施形態の作用効果］
上述のように、足底部２および被覆部３は、予め、足の踵部が爪先部よりも高くなるように足の中足趾節関節ＭＰで屈曲したときの足の形状に沿って湾曲形成されている。具体的に、フットカバー１は、爪先領域Ｘと、屈曲領域Ｙと、後部領域Ｚとを有しており、特に屈曲領域Ｙでは、足底部２が中足趾節関節ＭＰで屈曲したときの湾曲形状に沿うように形成されかつ被覆部３が中足趾節関節ＭＰを含む範囲の両側部を覆うように形成されている。すなわち、フットカバー１を構成する足底部２および被覆部３は、屈曲領域Ｙを中核として爪先領域Ｘから後部領域Ｚに亘りパンプスを履いた着用者の足の形状に適合するように構成されている。また、フットカバー１がパンプスを履いた着用者の足の形状に適合することにより、フットカバー１の履き口部７を形成する被覆部３の上端部において余分なしわの発生が抑制されるようになる。その結果、本発明の実施形態では、フットカバー１がパンプス内で足の踵側から容易に脱げないようになり、着用者がフットカバー１を着用した状態でパンプスを心地よく履き続けることができる。
【００５０】
また、前側および後側被覆部４，５の各々は、足底部２との縫合前の展開状態で略Ｕ字形の帯状に形成されていて、外周縁４ａ，５ａの各々が足底部２の外周縁２ａに縫合（接合）されるように構成されている。このため、必要最低限の部材のみで足裏面および爪先側甲部ないし踵部を覆うフットカバー１を立体的に構成することができ、かつ被覆部３における継ぎ目の数を少なくすることができる。
【００５１】
また、展開状態の前側被覆部４は、屈曲領域Ｙから後部領域Ｚの前部に亘って各外周縁４ａが最大の幅に対応する位置（仮想線Ｂの位置）から後方に向かって足幅方向中央に向かうように傾斜している。すなわち、展開状態の前側被覆部４は、全体を吊り下げたときの各外周縁４ａが最大幅に対応する位置（仮想線Ｂの位置）から足の踵部に向かって上方に傾斜するように構成されている。このため、上記傾斜した前側被覆部４の各外周縁４ａに足底部２の各外周縁２ａが縫合されたフットカバー１を型崩れのない状態で起立させたとき、前側被覆部４の外周縁４ａと足底部２の外周縁２ａとの継ぎ目部分が屈曲領域Ｙから後部領域Ｚの前部に亘って上方に向かって傾斜するようになる。その結果、前側被覆部４に縫合される足底部２を、屈曲領域Ｙから後部領域Ｚに亘り着用者がパンプスを履いた状態の足の形状に沿わせやすくすることができる。
【００５２】
また、爪先領域Ｘにおける被覆部３（前側被覆部４）の内面には、足の爪先側甲部に対する被覆部３のずれを防止するための爪先側防滑部１１，１１が設けられている。このため、着用者の足の爪先側甲部と被覆部３とのずれが生じにくくなり、着用者がフットカバー１を着用した状態でパンプスをより一層心地よく履き続けることができる。
【００５３】
また、後部領域Ｚにおいて、足の踵部の両側部ないし後側部に位置する被覆部３（後側被覆部５）の内面には、足の踵部に対する被覆部３のずれを防止するための踵側防滑部１２，１２が設けられている。このため、着用者の足における踵部の両側部ないし後側部と被覆部３とのずれが生じにくくなり、着用者がフットカバー１を着用した状態でパンプスをより一層心地よく履き続けることができる。
【００５４】
さらに、踵側防滑部１２が足の踵骨ＨＬにおける後端部の上下方向中央位置を上下に跨ぐように配置されているため、踵側防滑部１２により足の踵骨ＨＬの上下移動が抑制されることになる。その結果、足の踵部の両側部ないし後側部と被覆部３とのずれが生じにくくなるという踵側防滑部１２，１２の上記効果をより一層高めることができる。
【００５５】
［実施形態の変形例］
図６は、上記実施形態の変形例を示すものである。なお、以下に示す変形例に係るフットカバー１の他の構成は、上記実施形態に係るフットカバー１の構成と同様である。このため、以下の説明では、図１〜図５と同じ部分について同じ符号を付し、その詳細な説明を省略する。
【００５６】
図６に示すように、この変形例に係る展開状態の前側被覆部４において、前端部４ｂの位置（仮想線Ｌ１の位置）から最大幅に対応する位置（仮想線Ｂの位置）に亘る形状が上記実施形態の前側被覆部４と同様に形成されている一方、仮想線Ｂから後部領域Ｚの前部に亘って各外周縁４ａが仮想線Ｂの位置から後方に向かって仮想線Ｃと平行に延びている。この前側被覆部４を備えるフットカバー１では、爪先領域Ｘの足底部２と後部領域Ｚの足底部２とのなす角度θ１が約２５°になり、爪先領域Ｘの足底部２に対する後部領域Ｚの足底部２後側の高さがおよそ５ｃｍになるように設定されている。
【００５７】
このように、前側被覆部４の各外周縁４ａに足底部２の各外周縁２ａが縫合されたフットカバー１を型崩れのない状態で起立させたとき、上記実施形態と比較して、前側被覆部４の各外周縁４ａと足底部２の各外周縁２ａとの継ぎ目部分が屈曲領域Ｙから後部領域Ｚの前部に亘って上方に向かって緩やかに傾斜するようになる。したがって、この変形例では、フットカバー１を、足の爪先側よりも踵側の高さが比較的低いパンプスを履いた着用者の足の形状に対して適合させることが可能となる。
【００５８】
［その他の実施形態］
上記実施形態では爪先領域Ｘの足底部２と後部領域Ｚの足底部２とのなす角度θ１が約４５°となる形態を示す一方、上記実施形態の変形例では角度θ１が約２５°となる形態を示した。しかしながら、角度θ１は上記いずれの角度にも限定されない。そして、本発明では、角度θ１がθ１＝２５°〜６０°であるのが好ましい。角度θ１がこのような範囲にあるとき、フットカバー１は、その後端部（図２に示すｈ）の位置が水平面（図２に示す仮想線Ｆ）からおよそ５ｃｍ〜９ｃｍの高さになるように構成される。このように、角度θ１が上記範囲にあれば、フットカバー１を、足の爪先側よりも踵側が高くなるように形成されたパンプスを履いた着用者の足の形状に対して十分に適合させることができる。
【００５９】
また、図２を参照して、角度θ１が上記範囲にあるとき、フットカバー１の前端部から後端部（図に示すｈの位置）までを結んだ仮想線Ｓ２と水平面（仮想線Ｆ）とのなす角度θ２はθ２＝１８°〜４０°となる。
【００６０】
さらに、図７は、図３に示すフットカバー１の被覆部３を、足底部２の足幅方向中央の位置（仮想線Ｃ）を通る前後方向の鉛直面に沿って切断したときの仮想的な展開状態を示している。角度θ１がθ１＝２５°〜６０°であるとき、図７を参照して、足幅方向中央の仮想線Ｃと、仮想線Ｃの位置で切断された被覆部３（後側被覆部５）の後端縁（仮想線Ｅ）とのなす角度θ３はθ３＝１３５°〜１７０°となる。角度θ３がこのような範囲にあっても、フットカバーを、足の爪先側よりも踵側が高くなるように形成されたパンプスを履いた着用者の足の形状に対して十分に適合させることができる。
【００６１】
以上、本発明についての実施形態を説明したが、本発明は上述の実施形態のみに限定されず、発明の範囲内で種々の変更が可能である。
【産業上の利用可能性】
【００６２】
本発明は、足の爪先側よりも踵側が高くなるように形成された婦人用のパンプスに適したフットカバーとして産業上の利用が可能である。
【符号の説明】
【００６３】
１：フットカバー
２：足底部
３：被覆部
４：前側被覆部
５：後側被覆部
６：継ぎ部
７：履き口部
１１：爪先側防滑部
１２：踵側防滑部
Ｘ：爪先領域
Ｙ：屈曲領域
Ｚ：後部領域
ＤＰ：末節骨
ＰＰ：基節骨
ＭＴ：中足骨
ＨＬ：踵骨
ＭＰ：中足趾節関節
【図１】
2018100463.tif 000003
【図２】
2018100463.tif 000004
【図３】
2018100463.tif 000005
【図４】
2018100463.tif 000006
【図５】
2018100463.tif 000007
【図６】
2018100463.tif 000008
【図７】
2018100463.tif 000009
【手続補正書】
【提出日】平成29年6月9日(2017.6.9)
【手続補正１】
【補正対象書類名】明細書
【補正対象項目名】全文
【補正方法】変更
【補正の内容】
【発明の詳細な説明】
【技術分野】
【０００１】
本発明は、パンプス用のフットカバーに関するものである。
【背景技術】
【０００２】
従来、足の爪先側よりも踵側が高くなるように形成された婦人用のパンプスに用いられるフットカバーとして、例えば特許文献１のようなフットカバーが提案されている。
【０００３】
特許文献１には、足の足裏面を載せる足底部と足の爪先側甲部ないし踵部を覆う側辺部、踵部および爪先部からなる被覆部とにより伸縮可能に構成され、該被覆部の上端部に足を出し入れする履き口部が設けられたフットカバーが開示されている。
【先行技術文献】
【特許文献】
【０００４】
【特許文献１】特開２０１４−４７４３３号公報
【発明の概要】
【発明が解決しようとする課題】
【０００５】
特許文献１のフットカバーでは、足底部および被覆部を、爪先側から踵側に亘って足裏面全体が水平面に接地した状態における足の形状に合うようになっている。すなわち、特許文献１のフットカバーにおいて、足底部および被覆部は、フットカバーを着用した者（以下「着用者」という）がパンプスを履いていない状態における足の形状に適合するように構成されている。このため、特許文献１のフットカバーを着用した者が足の爪先側よりも踵側が高くなるように形成された婦人用のパンプスを履いたときに、フットカバーの履き口部を形成する被覆部の上端部に余分なしわが発生しやすくなっていた。その結果、特許文献１のフットカバーでは、フットカバーがパンプス内で足の踵側から容易に脱げやすくなってしまい、着用者がフットカバーを着用した状態でパンプスを心地よく履き続けることができないという問題があった。
【０００６】
本発明は斯かる点に鑑みてなされたものであり、その目的は、フットカバーがパンプス内で足の踵側から容易に脱げないようにして、着用者がフットカバーを着用した状態でパンプスを心地よく履き続けることができるようにすることにある。
【課題を解決するための手段】
【０００７】
上記の目的を達成するために、本発明に係るパンプス用のフットカバーでは、足底部および被腹部の形状に工夫を加えることにより、フットカバーがパンプス内で足の踵側から容易に脱げないようにした。
【０００８】
具体的に、本発明の第１の形態はパンプス用のフットカバーに係るものであり、このフットカバーは、着用者の足の足裏面を載せる足底部と足の爪先側甲部ないし踵部を覆う被覆部とを備え、該被覆部の上端部に足を出し入れする履き口部が設けられている。このフットカバーは、爪先領域と、該爪先領域の後側に連続する屈曲領域と、該屈曲領域の後側に連続する後部領域とを有している。爪先領域では、該爪先領域の足底部が水平方向に延びかつ該爪先領域の被覆部が足の末節骨から基節骨までの爪先側の甲部ないし両側部を覆うように形成されている。また、屈曲領域では、該屈曲領域の足底部が足の基節骨と中足骨との間の中足趾節関節で屈曲したときの湾曲形状に沿うように形成されかつ該屈曲領域の被覆部が中足趾節関節を含む範囲の両側部を覆うように形成されている。さらに、後部領域では、該後部領域の足底部が屈曲領域から後方に向かって上方に向かうように傾斜しかつ該後部領域の被覆部が足の中足骨から踵骨までの両側部ないし後側部を覆うように形成されていることを特徴とする。
【０００９】
第１の形態では、爪先領域と、爪先領域の後側に連続する屈曲領域と、屈曲領域の後側に連続する後部領域とを有しており、特に屈曲領域では、足底部が中足趾節関節で屈曲したときの湾曲形状に沿うように形成されかつ被覆部が中足趾節関節を含む範囲の両側部を覆うように形成されている。すなわち、フットカバーを構成する足底部および被覆部は、屈曲領域を中核として爪先領域から後部領域に亘りパンプスを履いた着用者の足の形状に適合するように構成されている。また、フットカバーがパンプスを履いた着用者の足の形状に適合することにより、フットカバーの履き口部を形成する被覆部の上端部において余分なしわの発生が抑制されるようになる。その結果、第１の形態では、フットカバーがパンプス内で足の踵側から容易に脱げないようになり、着用者がフットカバーを着用した状態でパンプスを心地よく履き続けることができる。
【００１０】
第２の形態は、第１の形態において、被覆部は、爪先領域から屈曲領域を経て後部領域の前部に亘る部分に位置する前側被覆部と、該後部領域の踵側に位置する後側被覆部と、を有している。そして、前側および後側被覆部の各々は、足底部との接合前の展開状態で略Ｕ字形の帯状に形成されていて、外周縁が該足底部の外周縁に接合されるように構成されていることを特徴とする。
【００１１】
第２の形態では、前側および後側被覆部により、必要最低限の部材のみで足裏面および爪先側甲部ないし踵部を覆うフットカバーを立体的に構成することができ、かつ被覆部における継ぎ目の数を少なくすることができる。
【００１２】
第３の形態は、第２の形態において、展開状態の前側被覆部は、爪先領域で外甲側および内甲側の各外周縁が足の爪先側から中足趾節関節に向かって互いに離れるように略弧状に拡がり、屈曲領域で該外周縁間の足幅方向の幅が最大となり、該屈曲領域から後部領域の前部に亘って該各外周縁が該最大の幅に対応する位置から後方に向かって足幅方向中央に向かうように傾斜していることを特徴とする。
【００１３】
第３の形態では、屈曲領域から後部領域の前部に亘って各外周縁が最大の幅に対応する位置から後方に向かって足幅方向中央に向かうように傾斜している。すなわち、展開状態の前側被覆部は、全体を吊り下げたときの外周縁が最大幅に対応する位置から足の踵部に向かって上方に傾斜するように構成されている。このため、上記のように傾斜した前側被覆部の外周縁に足底部の外周縁が接合されたフットカバーを型崩れのない状態で起立させたとき、前側被覆部の外周縁と足底部の外周縁との継ぎ目部分が屈曲領域から後部領域の前部に亘って上方に向かって傾斜するようになる。その結果、前側被覆部の外周縁に接合される足底部を、屈曲領域から後部領域に亘り着用者がパンプスを履いた状態の足の形状に沿わせやすくすることができる。
【００１４】
第４の形態は、第２の形態において、展開状態の前側被覆部は、爪先領域で外甲側および内甲側の各外周縁が足の爪先側から中足趾節関節に向かって互いに離れるように略弧状に拡がり、屈曲領域で該外周縁間の足幅方向の幅が最大となり、該屈曲領域から後部領域の前部に亘って該各外周縁が該最大の幅に対応する位置から後方に向かって足幅方向中央位置を通る前後方向と平行な方向に延びていることを特徴とする。
【００１５】
この第４の形態では、前側被覆部の外周縁に足底部の外周縁が接合されたフットカバーを型崩れのない状態で起立させたとき、上記第３の形態と比較して、前側被覆部の外周縁と足底部の外周縁との継ぎ目部分が屈曲領域から後部領域の前部に亘って上方に向かって緩やかに傾斜するようになる。このため、フットカバーを、足の爪先側よりも踵側の高さが比較的低いパンプスを履いた着用者の足の形状に対して適合させることが可能となる。
【００１６】
第５の形態は、第１または第２の形態において、爪先領域の足底部と、後部領域の足底部とのなす角度θ１がθ１＝２５°〜６０°であることを特徴とする。
【００１７】
この第５の形態では、角度θ１がθ１＝２５°〜６０°であれば、フットカバーを、足の爪先側よりも踵側が高くなるように形成されたパンプスを履いた着用者の足の形状に対して十分に適合させることができる。
【００１８】
第６の形態は、第１または第２の形態において、後部領域の被覆部を、足底部の足幅方向中央位置を通る前後方向の鉛直面に沿って切断線で切断したときに、該切断線と展開状態における該被覆部の後端縁とのなす角度θ３がθ３＝１３５°〜１７０°であることを特徴とする。
【００１９】
この第６の形態では、角度θ３がθ３＝１３５°〜１７０°であれば、第５の形態と同様に、フットカバーを、足の爪先側よりも踵側が高くなるように形成されたパンプスを履いた着用者の足の形状に対して十分に適合させることができる。
【００２０】
第７の形態は、第１〜第６の形態のいずれか１つの形態において、爪先領域における被覆部の内面には、足の爪先側甲部に対する該被覆部のずれを防止するための爪先側防滑部が設けられていることを特徴とする。
【００２１】
この第７の形態では、爪先側防滑部によって、着用者の足の爪先側甲部と被覆部とのずれが生じにくくなり、着用者がフットカバーを着用した状態でパンプスをより一層心地よく履き続けることができる。
【００２２】
第８の形態は、第１〜第７の形態のいずれか１つの形態において、後部領域において、足の踵部の両側部ないし後側部に位置する被覆部の内面には、足の踵部に対する該被覆部のずれを防止するための踵側防滑部が設けられていることを特徴とする。
【００２３】
この第８の形態では、踵側防滑部によって、着用者の足における踵部の両側部ないし後側部と被覆部とのずれが生じにくくなり、着用者がフットカバーを着用した状態でパンプスをより一層心地よく履き続けることができる。
【００２４】
第９の形態は、第８の形態において、踵側防滑部は、フットカバーの側面視で足の踵骨における後端部の上下方向中央位置を上下に跨ぐように配置されていることを特徴とする。
【００２５】
この第９の形態では、踵側防滑部が足の踵骨における後端部の上下方向中央位置を上下に跨ぐように配置されているため、踵側防滑部により足の踵骨の上下移動が抑制されることになる。その結果、足の踵部の両側部ないし後側部と被覆部とのずれが生じにくくなるという踵側防滑部の上記効果をより一層高めることができる。
【発明の効果】
【００２６】
以上説明したように、本発明によると、フットカバーがパンプス内で足の踵側から容易に脱げないようになり、着用者がフットカバーを着用した状態でパンプスを心地よく履き続けることができる。
【図面の簡単な説明】
【００２７】
【図１】図１は、本発明の実施形態に係るフットカバーの全体斜視図である。
【図２】図２は、フットカバーに人体の足の構造を重ねた状態を足の外甲側から見て示す側面図である。
【図３】図３は、フットカバーに人体の足の構造を重ねた状態を示す平面図である。
【図４】図４は、展開状態の足底部に人体の足の構造を重ねた状態を示す平面図である。
【図５】図５は、展開状態の足底部上に被覆部を重ね合わせた状態の展開図である。
【図６】図６は、フットカバーの変形例を示す図５相当図である。
【図７】図７は、図３に示したフットカバーの被覆部を、仮想線Ｃを通る前後方向の鉛直面に沿って切断したときの仮想的な展開図である。
【発明を実施するための形態】
【００２８】
以下、本発明の実施形態を図面に基づいて詳細に説明する。以下の実施形態の説明は、本質的に例示に過ぎず、本発明、その適用物或いはその用途を制限することを意図するものではない。
【００２９】
図１〜図３は、本発明の実施形態に係るフットカバー１の全体を示しており、このフットカバー１は、主にパンプス（特に足の爪先側よりも踵側が高くなるように形成された婦人用の靴）に適したフットカバーとして使用されるものである。このフットカバー１を着用した着用者がパンプスを履いたときに、フットカバー１はパンプス内に隠れて外部に露出しないようになっている。
【００３０】
ここで、フットカバー１は、人体の左足Ｌに着用させたときのフットカバー１（左足用フットカバー）のみを例示している。右足用フットカバーは、左足用フットカバーのものと左右対称になるように構成されているので、以下の説明では左足用フットカバーのみについて説明し、右足用フットカバーの説明は省略する。
【００３１】
また、以下の説明において、上方（上側）および下方（下側）とはフットカバー１の上下方向の位置関係を表し、前方（前側）および後方（後側）とはフットカバー１の前後方向の位置関係を表し、内甲側および外甲側とはフットカバー１の足幅方向の位置関係を表すものとする。
【００３２】
図１〜図３に示すように、フットカバー１は、着用者の足の足裏面と爪先側甲部ないし踵部とを覆うように構成されている。具体的に、フットカバー１は、着用者の足の足裏面を載せる足底部２と、足の爪先側甲部ないし踵部を覆う被覆部３とを備えている。これら足底部２および被覆部３は、それぞれ、伸縮可能な生地からなり、生地が伸張した状態で着用される。被覆部３の上端部には、足を出し入れするための履き口部７が設けられている。履き口部７は、足の爪先側甲部ないし踵部に対し隙間がない状態でフィットするように形成されている。
【００３３】
足底部２および被覆部３は、予め、足の踵部が爪先部よりも高くなるように足の基節骨ＰＰと中足骨ＭＴとの間の中足趾節関節ＭＰ（いわゆるＭＰ関節）で屈曲したときの足の形状に沿って湾曲形成されている。すなわち、フットカバー１は、足底部２および被覆部３が足の中足趾節関節ＭＰの位置を基準にしてパンプスを履いた着用者の足の形状に適合するように構成されている。具体的に、フットカバー１は、足の爪先側甲部の位置に対応する爪先領域Ｘと、爪先領域Ｘの後側に連続しかつ足の中足趾節関節ＭＰの位置に対応する屈曲領域Ｙと、屈曲領域Ｙの後側に連続する後部領域Ｚとを有している。
【００３４】
また、被覆部３は、爪先領域Ｘから屈曲領域Ｙを経て後部領域Ｚの前部に亘る部分に位置する前側被覆部４と、後部領域Ｚの踵側に位置する後側被覆部５と、を有している。ここで、符号６（図１〜３参照）は、図５に示す前側被覆部４の各後端部４ｃと後側被覆部５の各前端部５ｂとが縫合（接合）された継ぎ部である。
【００３５】
図２および図３に示すように、爪先領域Ｘでは、足底部２が水平方向に延びている一方、被覆部３が足の末節骨ＤＰから基節骨ＰＰまでの爪先側の甲部ないし両側部を覆うように形成されている。屈曲領域Ｙでは、足底部２が足の中足趾節関節ＭＰで屈曲したときの湾曲形状に沿うように形成されている一方、被覆部３が中足趾節関節ＭＰを含む範囲の両側部を覆うように形成されている。後部領域Ｚでは、足底部２が屈曲領域Ｙから後方に向かって上方に向かうように傾斜している一方、被覆部３が足の中足骨ＭＴから踵骨ＨＬまでの両側部ないし後側部を覆うように形成されている。
【００３６】
ここで、図２に示すように、本実施形態では、爪先領域Ｘの足底部２と後部領域Ｚの足底部２とのなす角度θ１が約４５°になるように設定されている。そして、角度θ１がθ１＝４５°であるとき、フットカバー１は、その後端部に対応する位置（図２に示すｈの位置）が水平面（図２に示す仮想線Ｆ）からおよそ９ｃｍの高さになるように構成されている。なお、角度θ１は特にこの角度に限定されず、角度θ１を所定の角度範囲で設定することが可能である。角度θ１における適正な角度範囲については後述する。
【００３７】
また、図１〜図３に示すように、爪先領域Ｘにおいて、被覆部３の内面には、足の爪先側甲部に対する被覆部３のずれを防止するための左右一対の爪先側防滑部１１，１１が設けられている。具体的に、各爪先側防滑部１１は、前側被覆部４の内面に塗布されたシリコン材からなり、略円形状に形成されている。爪先側防滑部１１，１１の各々は、例えば足の第２基節骨ＰＰ２および第４中節骨ＩＰ４のそれぞれに当接するように配置されている（図３参照）。
【００３８】
さらに、後部領域Ｚにおいて、足の踵部の両側部ないし後側部に位置する被覆部３の内面には、足の踵部に対する被覆部３のずれを防止するための上下一対の踵側防滑部１２，１２が設けられている。具体的に、各踵側防滑部１２は、後側被覆部５の内面に塗布されたシリコン材からなり、足の踵部の両側部ないし後側部を覆うように略長方形の帯状に形成されている。踵側防滑部１２，１２は、例えば足の踵骨ＨＬにおける後端部の上下方向中央位置（踵骨ＨＬ後側の尖った部分の位置）を上下に跨ぐように配置されている（図２参照）。
【００３９】
次に、フットカバー１を展開した状態の具体的構成を説明する。
【００４０】
図４に示すように、フットカバー１を展開した状態における足底部２の前後方向において、爪先領域Ｘは、足の爪先側に位置する足底部２の前端部２ｂ（足幅方向に延びる仮想線Ｌ１の位置）から第２基節骨ＰＰ２の後端部に対応する位置（足幅方向に延びる仮想線Ｌ２の位置）までの範囲を占めている。屈曲領域Ｙは、上記仮想線Ｌ２の位置から第５中足骨ＭＴ５の前端部に対応する位置（足幅方向に延びる仮想線Ｌ３の位置）までの範囲を占めている。後部領域Ｚは、上記仮想線Ｌ３の位置から足底部２の後端部２ｃ（足幅方向に延びる仮想線Ｌ４の位置）までの範囲を占めている。
【００４１】
また、フットカバー１を展開した状態において、足底部２は、爪先領域Ｘで外甲側および内甲側の各外周縁２ａが仮想線Ｌ１の位置から後方に向かって互いに離れるように略弧状に拡がっている。また、足底部２は、爪先領域Ｘの後部に位置するａ１，ａ２間を結んだ足幅方向に延びる仮想線Ａの位置で外周縁２ａ，２ａ間の足幅方向の幅が最大となっている。そして、仮想線Ａの位置（すなわち爪先領域Ｘの後部）から屈曲領域Ｙを経て後部領域Ｚに亘る領域間では、足底部２の各外周縁２ａが上記仮想線Ａの位置から足の踵部（踵骨ＨＬ）に対応する位置に向かって足幅方向中央（前後方向に延びる仮想線Ｃ）に向かうように傾斜している。なお、本実施形態では、足底部２が仮想線Ｃを対称軸として左右に線対称に形成された形態を例示しているが、足底部２はこの形態に限定されない。
【００４２】
一方、図５に示すように、フットカバー１を展開した状態において、前側および後側被覆部４，５の各々は、足底部２との縫合（接合）前の展開状態で略Ｕ字形の帯状に形成されていて、前側被覆部４の各後端部４ｃと後側被覆部５の各前端部５ｂとが縫合されるようになっている。前側被覆部４は、展開状態において、前端部４ｂを足底部２の前端部２ｂの位置（仮想線Ｌ１の位置）に合わせた状態で各外周縁４ａが足底部２の各外周縁２ａに縫合されるように構成されている。一方、後側被覆部５は、展開状態において、後端部５ｃを足底部２の後端部２ｃの位置（仮想線Ｌ４の位置）に合わせた状態で各外周縁５ａが足底部２の各外周縁２ａに縫合されるように構成されている。
【００４３】
なお、本実施形態では、足底部２と前側および後側被覆部４，５とを縫合することにより接合した形態を例示しているが、接着剤による接着や溶着などの接合方法により、足底部２と前側および後側被覆部４，５とを接合してもよい。また、本実施形態では、足底部２と前側および後側被覆部４，５とを縫合することにより接合した形態を例示しているが、足底部および被覆部を、例えばホールガーメント（登録商標）編み機などを用いた三次元編成により一体的に編成して構成してもよい。
【００４４】
前側被覆部４は、フットカバー１を展開した状態において、外甲側および内甲側の外周縁４ａ，４ａの各々が爪先領域Ｘにおける仮想線Ｌ１の位置から屈曲領域Ｙ（図４に示す足の中足趾節関節ＭＰに対応する位置）に向かって互いに離れるように略弧状に拡がっている。また、屈曲領域Ｙでは、図５に示すｂ１，ｂ２間を結んだ足幅方向に延びる仮想線Ｂの位置（屈曲領域Ｙの後部）で前側被覆部４における外周縁４ａ，４ａ間の足幅方向の幅が最大となっている。さらに、爪先領域Ｘおよび屈曲領域Ｙにおいて、前側被覆部４は、各外周縁４ａが足底部２の各外周縁２ａよりも大きな曲線形状になるように形成されている。すなわち、爪先領域Ｘおよび屈曲領域Ｙにおいて、前側被覆部４は、各外周縁４ａの曲率が足底部２における各外周縁２ａの曲率よりも小さくなるように形成されている。そして、屈曲領域Ｙにおける仮想線Ｂの位置から後部領域Ｚの前部に亘る領域間では、前側被覆部４の各外周縁４ａが上記仮想線Ｂの位置から後方に向かって仮想線Ｃ（足幅方向中央）に向かうように略直線状に傾斜している。
【００４５】
後側被覆部５は、フットカバー１を展開した状態において、後部領域Ｚの踵部に対応する位置で外甲側および内甲側における外周縁５ａ，５ａの各々が仮想線Ｌ４の位置から前方に向かって互いに離れるように略弧状に拡がっている。また、後側被覆部５は、前端部５ｂに対応するｄ１，ｄ２間を結んだ足幅方向に延びる仮想線Ｄの位置で外周縁５ａ，５ａ間の足幅方向の幅が最大となり、かつこの最大幅が仮想線Ｂの位置に対応する前側被覆部４の最大幅よりも大きくなるように形成されている。さらに、後側被覆部５は、各外周縁５ａが足底部２における後部領域Ｚの各外周縁２ａよりも大きな曲線形状になるように形成されている。すなわち、後側被覆部５は、各外周縁５ａの曲率が足底部２における後部領域Ｚの各外周縁２ａの曲率よりも小さくなるように形成されている。
【００４６】
なお、本実施形態では、前側および後側被覆部４，５の各々が仮想線Ｃを対称軸として左右に線対称に形成された形態を例示しているが、足底部２と同様に、前側および後側被覆部４，５の各々はこの形態に限定されない。
【００４７】
［実施形態の作用効果］
上述のように、足底部２および被覆部３は、予め、足の踵部が爪先部よりも高くなるように足の中足趾節関節ＭＰで屈曲したときの足の形状に沿って湾曲形成されている。具体的に、フットカバー１は、爪先領域Ｘと、屈曲領域Ｙと、後部領域Ｚとを有しており、特に屈曲領域Ｙでは、足底部２が中足趾節関節ＭＰで屈曲したときの湾曲形状に沿うように形成されかつ被覆部３が中足趾節関節ＭＰを含む範囲の両側部を覆うように形成されている。すなわち、フットカバー１を構成する足底部２および被覆部３は、屈曲領域Ｙを中核として爪先領域Ｘから後部領域Ｚに亘りパンプスを履いた着用者の足の形状に適合するように構成されている。また、フットカバー１がパンプスを履いた着用者の足の形状に適合することにより、フットカバー１の履き口部７を形成する被覆部３の上端部において余分なしわの発生が抑制されるようになる。その結果、本発明の実施形態では、フットカバー１がパンプス内で足の踵側から容易に脱げないようになり、着用者がフットカバー１を着用した状態でパンプスを心地よく履き続けることができる。
【００４８】
また、前側および後側被覆部４，５の各々は、足底部２との縫合前の展開状態で略Ｕ字形の帯状に形成されていて、外周縁４ａ，５ａの各々が足底部２の外周縁２ａに縫合（接合）されるように構成されている。このため、必要最低限の部材のみで足裏面および爪先側甲部ないし踵部を覆うフットカバー１を立体的に構成することができ、かつ被覆部３における継ぎ目の数を少なくすることができる。
【００４９】
また、展開状態の前側被覆部４は、屈曲領域Ｙから後部領域Ｚの前部に亘って各外周縁４ａが最大の幅に対応する位置（仮想線Ｂの位置）から後方に向かって足幅方向中央に向かうように傾斜している。すなわち、展開状態の前側被覆部４は、全体を吊り下げたときの各外周縁４ａが最大幅に対応する位置（仮想線Ｂの位置）から足の踵部に向かって上方に傾斜するように構成されている。このため、上記傾斜した前側被覆部４の各外周縁４ａに足底部２の各外周縁２ａが縫合されたフットカバー１を型崩れのない状態で起立させたとき、前側被覆部４の外周縁４ａと足底部２の外周縁２ａとの継ぎ目部分が屈曲領域Ｙから後部領域Ｚの前部に亘って上方に向かって傾斜するようになる。その結果、前側被覆部４に縫合される足底部２を、屈曲領域Ｙから後部領域Ｚに亘り着用者がパンプスを履いた状態の足の形状に沿わせやすくすることができる。
【００５０】
また、爪先領域Ｘにおける被覆部３（前側被覆部４）の内面には、足の爪先側甲部に対する被覆部３のずれを防止するための爪先側防滑部１１，１１が設けられている。このため、着用者の足の爪先側甲部と被覆部３とのずれが生じにくくなり、着用者がフットカバー１を着用した状態でパンプスをより一層心地よく履き続けることができる。
【００５１】
また、後部領域Ｚにおいて、足の踵部の両側部ないし後側部に位置する被覆部３（後側被覆部５）の内面には、足の踵部に対する被覆部３のずれを防止するための踵側防滑部１２，１２が設けられている。このため、着用者の足における踵部の両側部ないし後側部と被覆部３とのずれが生じにくくなり、着用者がフットカバー１を着用した状態でパンプスをより一層心地よく履き続けることができる。
【００５２】
さらに、踵側防滑部１２が足の踵骨ＨＬにおける後端部の上下方向中央位置を上下に跨ぐように配置されているため、踵側防滑部１２により足の踵骨ＨＬの上下移動が抑制されることになる。その結果、足の踵部の両側部ないし後側部と被覆部３とのずれが生じにくくなるという踵側防滑部１２，１２の上記効果をより一層高めることができる。
【００５３】
［実施形態の変形例］
図６は、上記実施形態の変形例を示すものである。なお、以下に示す変形例に係るフットカバー１の他の構成は、上記実施形態に係るフットカバー１の構成と同様である。このため、以下の説明では、図１〜図５と同じ部分について同じ符号を付し、その詳細な説明を省略する。
【００５４】
図６に示すように、この変形例に係る展開状態の前側被覆部４において、前端部４ｂの位置（仮想線Ｌ１の位置）から最大幅に対応する位置（仮想線Ｂの位置）に亘る形状が上記実施形態の前側被覆部４と同様に形成されている一方、仮想線Ｂから後部領域Ｚの前部に亘って各外周縁４ａが仮想線Ｂの位置から後方に向かって仮想線Ｃと平行に延びている。この前側被覆部４を備えるフットカバー１では、爪先領域Ｘの足底部２と後部領域Ｚの足底部２とのなす角度θ１が約２５°になり、爪先領域Ｘの足底部２に対する後部領域Ｚの足底部２後側の高さがおよそ５ｃｍになるように設定されている。
【００５５】
このように、前側被覆部４の各外周縁４ａに足底部２の各外周縁２ａが縫合されたフットカバー１を型崩れのない状態で起立させたとき、上記実施形態と比較して、前側被覆部４の各外周縁４ａと足底部２の各外周縁２ａとの継ぎ目部分が屈曲領域Ｙから後部領域Ｚの前部に亘って上方に向かって緩やかに傾斜するようになる。したがって、この変形例では、フットカバー１を、足の爪先側よりも踵側の高さが比較的低いパンプスを履いた着用者の足の形状に対して適合させることが可能となる。
【００５６】
［その他の実施形態］
上記実施形態では爪先領域Ｘの足底部２と後部領域Ｚの足底部２とのなす角度θ１が約４５°となる形態を示す一方、上記実施形態の変形例では角度θ１が約２５°となる形態を示した。しかしながら、角度θ１は上記いずれの角度にも限定されない。そして、本発明では、角度θ１がθ１＝２５°〜６０°であるのが好ましい。角度θ１がこのような範囲にあるとき、フットカバー１は、その後端部（図２に示すｈ）の位置が水平面（図２に示す仮想線Ｆ）からおよそ５ｃｍ〜９ｃｍの高さになるように構成される。このように、角度θ１が上記範囲にあれば、フットカバー１を、足の爪先側よりも踵側が高くなるように形成されたパンプスを履いた着用者の足の形状に対して十分に適合させることができる。
【００５７】
また、図２を参照して、角度θ１が上記範囲にあるとき、フットカバー１の前端部から後端部（図に示すｈの位置）までを結んだ仮想線Ｓ２と水平面（仮想線Ｆ）とのなす角度θ２はθ２＝１８°〜４０°となる。
【００５８】
さらに、図７は、図３に示すフットカバー１の被覆部３を、足底部２の足幅方向中央の位置（仮想線Ｃ）を通る前後方向の鉛直面に沿って切断したときの仮想的な展開状態を示している。角度θ１がθ１＝２５°〜６０°であるとき、図７を参照して、足幅方向中央の仮想線Ｃと、仮想線Ｃの位置で切断された被覆部３（後側被覆部５）の後端縁（仮想線Ｅ）とのなす角度θ３はθ３＝１３５°〜１７０°となる。角度θ３がこのような範囲にあっても、フットカバーを、足の爪先側よりも踵側が高くなるように形成されたパンプスを履いた着用者の足の形状に対して十分に適合させることができる。
【００５９】
以上、本発明についての実施形態を説明したが、本発明は上述の実施形態のみに限定されず、発明の範囲内で種々の変更が可能である。
【産業上の利用可能性】
【００６０】
本発明は、足の爪先側よりも踵側が高くなるように形成された婦人用のパンプスに適したフットカバーとして産業上の利用が可能である。
【符号の説明】
【００６１】
１：フットカバー
２：足底部
３：被覆部
４：前側被覆部
５：後側被覆部
６：継ぎ部
７：履き口部
１１：爪先側防滑部
１２：踵側防滑部
Ｘ：爪先領域
Ｙ：屈曲領域
Ｚ：後部領域
ＤＰ：末節骨
ＰＰ：基節骨
ＭＴ：中足骨
ＨＬ：踵骨
ＭＰ：中足趾節関節
【手続補正２】
【補正対象書類名】特許請求の範囲
【補正対象項目名】全文
【補正方法】変更
【補正の内容】
【特許請求の範囲】
【請求項１】
着用者の足の足裏面を載せる足底部と足の爪先側甲部ないし踵部を覆う被覆部とを備え、該被覆部の上端部に足を出し入れする履き口部が設けられたパンプス用のフットカバーであって、
爪先領域と、該爪先領域の後側に連続する屈曲領域と、該屈曲領域の後側に連続する後部領域とを有し、
前記爪先領域では、該爪先領域の足底部が水平方向に延びかつ該爪先領域の被覆部が足の末節骨から基節骨までの爪先側の甲部ないし両側部を覆うように形成され、
前記屈曲領域では、該屈曲領域の足底部が足の基節骨と中足骨との間の中足趾節関節で屈曲したときの湾曲形状に沿うように形成されかつ該屈曲領域の被覆部が中足趾節関節を含む範囲の両側部を覆うように形成され、
前記後部領域では、該後部領域の足底部が前記屈曲領域から後方に向かって上方に向かうように傾斜しかつ該後部領域の被覆部が足の中足骨から踵骨までの両側部ないし後側部を覆うように形成されている、フットカバー。
【請求項２】
請求項１に記載のフットカバーにおいて、
前記被覆部は、前記爪先領域から前記屈曲領域を経て前記後部領域の前部に亘る部分に位置する前側被覆部と、該後部領域の踵側に位置する後側被覆部と、を有し、
前記前側および後側被覆部の各々は、前記足底部との接合前の展開状態で略Ｕ字形の帯状に形成されていて、外周縁が該足底部の外周縁に接合されるように構成されている、フットカバー。
【請求項３】
請求項２に記載のフットカバーにおいて、
前記展開状態の前側被覆部は、前記爪先領域で外甲側および内甲側の各外周縁が足の爪先側から中足趾節関節に向かって互いに離れるように略弧状に拡がり、前記屈曲領域で該外周縁間の足幅方向の幅が最大となり、該屈曲領域から前記後部領域の前部に亘って該各外周縁が該最大の幅に対応する位置から後方に向かって足幅方向中央に向かうように傾斜している、フットカバー。
【請求項４】
請求項２に記載のフットカバーにおいて、
前記展開状態の前側被覆部は、前記爪先領域で外甲側および内甲側の各外周縁が足の爪先側から中足趾節関節に向かって互いに離れるように略弧状に拡がり、前記屈曲領域で該外周縁間の足幅方向の幅が最大となり、該屈曲領域から前記後部領域の前部に亘って該各外周縁が該最大の幅に対応する位置から後方に向かって足幅方向中央位置を通る前後方向と平行な方向に延びている、フットカバー。
【請求項５】
請求項１または２に記載のフットカバーにおいて、
前記爪先領域の前記足底部と、前記後部領域の該足底部とのなす角度θ１がθ１＝２５°〜６０°である、フットカバー。
【請求項６】
請求項１または２に記載のフットカバーにおいて、
前記後部領域の被覆部を、前記足底部の足幅方向中央位置を通る前後方向の鉛直面に沿って切断線で切断したときに、該切断線と展開状態における該被覆部の後端縁とのなす角度θ３がθ３＝１３５°〜１７０°である、フットカバー。
【請求項７】
請求項１〜６のいずれか１項に記載のフットカバーにおいて、
前記爪先領域における前記被覆部の内面には、足の爪先側甲部に対する該被覆部のずれを防止するための爪先側防滑部が設けられている、フットカバー。
【請求項８】
請求項１〜７のいずれか１項に記載のフットカバーにおいて、
前記後部領域において、足の踵部の両側部ないし後側部に位置する前記被覆部の内面には、足の踵部に対する該被覆部のずれを防止するための踵側防滑部が設けられている、フットカバー。
【請求項９】
請求項８に記載のフットカバーにおいて、
前記踵側防滑部は、フットカバーの側面視で足の踵骨における後端部の上下方向中央位置を上下に跨ぐように配置されている、フットカバー。